(57)【要約】【課題】信頼できる保護を電池に提供し、電池の充電効率を改善することができる電池保護システムを提供すること。【解決手段】しきい値設定回路は、温度参照マルチプレクサ、温度比較回路、およびしきい値マルチプレクサを含む。温度参照マルチプレクサは、一組の参照信号のうちの1つの参照信号を出力する。温度比較回路は、一組の結果信号を発生させるために、電池の温度を示す信号を温度参照マルチプレクサから出力される参照信号と比較する。しきい値マルチプレクサは、結果信号に従って一組の保護しきい値から1つまたは複数の保護しきい値を選択する。1つまたは複数の保護しきい値は、電池が異常状態にあるかどうかを決定するために使用される。【選択図】図3
2020202740.tif 000002
【特許請求の範囲】
【請求項１】
複数の参照信号のうちの1つの参照信号を出力する温度参照マルチプレクサと、
複数の結果信号を発生させるために、電池の温度を示す信号を前記温度参照マルチプレクサから出力される前記複数の参照信号と比較する、前記温度参照マルチプレクサに結合される温度比較回路と、
前記複数の結果信号に従って複数の保護しきい値から少なくとも1つの保護しきい値を選択する、前記温度比較回路に結合されるしきい値マルチプレクサであって、前記少なくとも1つの保護しきい値は、前記電池が異常状態にあるかどうかを決定するのに有用である、しきい値マルチプレクサとを備える、しきい値設定回路。
【請求項２】
前記複数の結果信号は、前記電池がその中にある温度範囲を示し、前記少なくとも1つの保護しきい値は、前記電池が、前記温度範囲にあるとき、前記電池内の1つの電池セルの過電圧しきい値を備える、請求項1に記載のしきい値設定回路。
【請求項３】
前記複数の保護しきい値は、複数の過電圧しきい値を含み、前記複数の過電圧しきい値の各過電圧しきい値は、複数の温度範囲の少なくとも1つの温度範囲に対応し、前記電池内の1つの電池セルが過電圧状態にあるかどうかを決定するのに有用である、請求項1に記載のしきい値設定回路。
【請求項４】
前記複数の結果信号は、前記電池がその中にある温度範囲を示し、前記少なくとも1つの保護しきい値は、前記電池が、前記温度範囲にあるとき、前記電池の過電流しきい値を備える、請求項1に記載のしきい値設定回路。
【請求項５】
前記複数の保護しきい値は、複数の過電流しきい値を含み、前記複数の過電流しきい値の各過電流しきい値は、複数の温度範囲の少なくとも1つの温度範囲に対応し、前記電池が過電流状態にあるかどうかを決定するのに有用である、請求項1に記載のしきい値設定回路。
【請求項６】
前記複数の保護しきい値から前記少なくとも1つの保護しきい値を選択するために、前記複数の結果信号を順番に受け取り、前記複数の結果信号を前記しきい値マルチプレクサを制御する選択信号に変換する、前記温度比較回路および前記しきい値マルチプレクサに結合される論理回路をさらに備える、請求項1に記載のしきい値設定回路。
【請求項７】
電池がその中にある温度範囲を決定するための複数の結果信号を発生させるために、電池の温度を示す信号を複数の参照信号と比較するために動作可能であり、かつ前記複数の結果信号に従って複数の保護しきい値から少なくとも1つの保護しきい値を選択するために動作可能である、しきい値設定回路と、
比較結果を発生させるために、前記しきい値設定回路から出力される前記少なくとも1つの保護しきい値を受け取り、前記少なくとも1つの保護しきい値を前記電池の電池パラメータと比較するために動作可能である、前記しきい値設定回路に結合される異常検出回路であって、前記比較結果は、前記電池が異常状態にあるかどうかを示す、異常検出回路とを備える、電池保護システム。
【請求項８】
前記少なくとも1つの保護しきい値は、前記電池が、前記温度範囲にあるとき、前記電池内の1つの電池セルの過電圧しきい値を備える、請求項7に記載の電池保護システム。
【請求項９】
前記複数の保護しきい値は、複数の過電圧しきい値を含み、前記複数の過電圧しきい値の各過電圧しきい値は、複数の温度範囲の少なくとも1つの温度範囲に対応し、前記電池内の1つの電池セルが過電圧状態にあるかどうかを決定するのに有用である、請求項7に記載の電池保護システム。
【請求項１０】
前記少なくとも1つの保護しきい値は、前記電池が、前記温度範囲にあるとき、前記電池の過電流しきい値を備える、請求項7に記載の電池保護システム。
【請求項１１】
前記複数の保護しきい値は、複数の過電流しきい値を含み、前記複数の過電流しきい値の各過電流しきい値は、複数の温度範囲の少なくとも1つの温度範囲に対応し、前記電池が過電流状態にあるかどうかを決定するのに有用である、請求項7に記載の電池保護システム。
【請求項１２】
前記電池パラメータは、前記電池内の1つの電池セルの電圧を備え、前記少なくとも1つの保護しきい値は、過電圧しきい値を備え、前記異常検出回路は、前記電池セルの前記電圧を前記過電圧しきい値と比較する過電圧比較器を備える、請求項7に記載の電池保護システム。
【請求項１３】
前記電池パラメータは、前記電池の電流を備え、前記少なくとも1つの保護しきい値は、過電流しきい値を備え、前記異常検出回路は、前記電池の前記電流を前記過電流しきい値と比較する過電流比較回路を備える、請求項7に記載の電池保護システム。
【請求項１４】
電池を保護するための方法であって、前記方法は、
温度参照マルチプレクサを使用して、複数の参照信号のうちの1つの参照信号をプリセット順序通りに連続して出力するステップと、
温度比較回路を使用して、複数の結果信号を発生させるために、前記電池の温度を示す信号を前記温度参照マルチプレクサから出力される前記複数の参照信号と比較するステップと、
しきい値マルチプレクサを使用して、前記複数の結果信号に従って複数の保護しきい値から少なくとも1つの保護しきい値を選択するステップと、
前記少なくとも1つの保護しきい値に従って前記電池が異常状態にあるかどうかを決定するステップとを含む、方法。
【請求項１５】
論理回路を使用して、前記複数の結果信号を順番に受け取るステップと、
前記複数の結果信号を選択信号に変換するステップと、
前記選択信号を使用して、前記複数の保護しきい値から前記少なくとも1つの保護しきい値を選択するために前記しきい値マルチプレクサを制御するステップとをさらに含む、請求項14に記載の方法。
【請求項１６】
比較結果を発生させるために、前記少なくとも1つの保護しきい値を前記電池の電池パラメータと比較するステップであって、前記比較結果は、前記電池が異常状態にあるかどうかを示す、ステップをさらに含む、請求項14に記載の方法。
【請求項１７】
前記複数の結果信号は、前記電池がその中にある温度範囲を示し、前記少なくとも1つの保護しきい値は、前記電池が、前記温度範囲にあるとき、前記電池内の1つの電池セルの過電圧しきい値を備え、前記電池パラメータは、前記電池セルの電圧を備える、請求項16に記載の方法。
【請求項１８】
前記複数の結果信号は、前記電池がその中にある温度範囲を示し、前記少なくとも1つの保護しきい値は、前記電池が、前記温度範囲にあるとき、前記電池の過電流しきい値を備え、前記電池パラメータは、前記電池の電流を備える、請求項16に記載の方法。
【請求項１９】
前記複数の保護しきい値は、複数の過電圧しきい値を備え、前記複数の過電圧しきい値の各過電圧しきい値は、複数の温度範囲の少なくとも1つの温度範囲に対応し、前記方法は、
前記電池がその中にある温度範囲に対応する前記複数の過電圧しきい値のうちの1つの過電圧しきい値に従って、前記電池内の1つの電池セルが過電圧状態にあるかどうかを決定するステップをさらに含む、請求項14に記載の方法。
【請求項２０】
前記複数の保護しきい値は、複数の過電流しきい値を備え、前記複数の過電流しきい値の各過電流しきい値は、複数の温度範囲の少なくとも1つの温度範囲に対応し、前記方法は、
前記電池がその中にある温度範囲に対応する前記複数の過電流しきい値のうちの1つの過電流しきい値に従って、前記電池が過電流状態にあるかどうかを決定するステップをさらに含む、請求項14に記載の方法。
【発明の詳細な説明】
【技術分野】
【０００１】
関連出願の参照
この出願は、参照により本明細書に全体としてこれによって組み込まれる、2019年6月5日に中華人民共和国の国家知識産権局に出願された、出願番号201910486111.0に対して35U.S.C.§119(a)の下での利益を主張するものである。
【背景技術】
【０００２】
図1は、従来の電池保護システムにおける、電池温度と過電圧しきい値VOVとの間の関係、および電池温度と過電流しきい値IOCとの間の関係を示す図を例示する。過電圧しきい値VOVおよび過電流しきい値IOCは、電池保護システムにおいて再充電可能な電池を保護するために使用される。例えば、電池の充電プロセス中に、もし電池の電池電圧が、過電圧しきい値VOVよりも大きいならば、その時電池電圧は、高すぎると考えられ、電池保護システムは、電池の充電を終わらせる。同様に、もし電池の充電電流が、過電流しきい値IOCよりも大きいならば、その時充電電流は、大きすぎると考えられ、電池保護システムは、電池の充電を終わらせる。結果として、電池保護システムは、電池を過電圧および/または過電流状態から保護することができる。図1に示されるように、もし電池温度が、TC(例えば、0℃)よりも低いならば、その時電池温度は、低すぎると考えられ、もし電池温度が、TH(例えば、40℃、41℃、45℃、または類似のもの)よりも大きいならば、その時電池温度は、高すぎると考えられる。両方の状況において、電池保護システムは、充電器(図示せず)が電池を充電するのを禁止する。もし電池温度が、TCとTHとの間であるならば、その時電池温度は、正常であると考えられ、電池保護システムは、充電器が電池を充電することを許可し、過電圧しきい値VOVおよび過電流しきい値IOCをVTHおよびITHにそれぞれ設定する。
【０００３】
しかしながら、図1の従来の電池保護システムは、電池温度が低すぎるかまたは高すぎるかを単に決定することによって電池を充電すべきかどうかを決める。電池温度が、正常と考えられるとき、従来の電池保護システムは、電池を保護するために単一の過電圧しきい値および単一の過電流しきい値を設定する。この従来の電池保護システムは、信頼できる保護を電池に提供することができないこともある。加えて、単一の過電圧しきい値および単一の過電流しきい値だけに基づいて電池を充電すべきかどうかを決めることは、異なる応用における電池が、異なる温度特性を有することもあるので、電池の充電効率を低減することもある。言い換えれば、いくつかの実際的な状況では、電池の最大安全充電電力は、もし電池温度が、変化するならば、変化する可能性がある。例えば、ラップトップコンピュータでは、もし電池が、10℃から45℃に及ぶ温度を有するならば、その時電池は、正常に充電することができ、電池の過電圧しきい値は、より高いレベル(例えば、4.25V)に設定することができる。もし電池温度が、0℃から10℃に及ぶならば、その時電池はなお、充電されることを許可されることが可能であり、それの過電圧しきい値は、より低い(例えば、4.2V)。しかしながら、従来の電池保護システムは、電池が充電されることを許可される、例えば、電池温度が充電可能な温度範囲内であると決定されるとき、電池を保護するために単一の過電圧しきい値を提供する。もし充電可能な温度範囲が、より大きく、例えば、0℃から45℃に設定され、過電圧しきい値が、より高く、例えば、4.25Vに設定されるならば、その時電池は、電池温度が、0℃と10℃との間の範囲にあるとき、確実に保護されず、もし充電可能な温度範囲が、より大きく、例えば、0℃から45℃に設定され、過電圧しきい値が、より低く、例えば、4.2Vに設定されるならば、その時電池温度が、10℃から45℃までの範囲にあるとき、電池の充電効率は、過度に制限され、最大化することができず、もし充電可能な温度範囲が、より小さく、例えば10℃から45℃に設定され、過電圧しきい値が、より高く、例えば、4.25Vに設定されるならば、その時電池温度が、0℃から10℃までの範囲にあるとき、電池は、充電されることを許可されるが、充電されず、それは、電池の充電効率を低減する。それ故に、従来の電池保護システムは、ラップトップコンピュータにおける電池に信頼できる保護を提供することができないこともあり、かつ/または電池の充電効率を低下させることもある。
【発明の概要】
【課題を解決するための手段】
【０００４】
実施形態では、しきい値設定回路は、温度参照マルチプレクサ、温度比較回路、およびしきい値マルチプレクサを含む。温度参照マルチプレクサは、一組の参照信号のうちの1つの参照信号を出力する。温度比較回路は、一組の結果信号を発生させるために、電池の温度を示す信号を温度参照マルチプレクサから出力される参照信号と比較する。しきい値マルチプレクサは、結果信号に従って一組の保護しきい値から1つまたは複数の保護しきい値を選択する。1つまたは複数の保護しきい値は、電池が異常状態にあるかどうかを決定するために使用される。
【０００５】
特許請求される主題の実施形態の特徴および利点は、類似の数字が類似のパーツを描写する図面を参照して、以下の詳細な説明が進むにつれて明らかになるであろう。
【図面の簡単な説明】
【０００６】
【図１】従来の電池保護システムにおける、電池温度と過電圧しきい値との間の関係、および電池温度と過電流しきい値との間の関係の図を例示する図である。
【図２】本発明の一実施形態における、電池保護システムの一例のブロック図を例示する図である。
【図３】本発明の一実施形態における、しきい値設定回路を含む電池保護システムの一例のブロック図を例示する図である。
【図４】本発明の一実施形態における、保護しきい値を設定するための時間系列の一例の図を例示する図である。
【図５】本発明の一実施形態における、電池保護システムの一例での電池温度と過電圧しきい値との間の関係、および電池温度と過電流しきい値との間の関係の図を例示する図である。
【図６】本発明の一実施形態における、電池温度が変化するにつれて変化する、しきい値設定回路における、信号の例についての波形を例示する図である。
【図７】本発明の一実施形態における、しきい値設定回路を含む電池保護システムの一例のブロック図を例示する図である。
【図８】本発明の一実施形態における電池保護システムの一例での、電池温度と過電圧しきい値との間の関係、および電池温度と過電流しきい値との間の関係の図を例示する図である。
【図９】本発明の一実施形態における、電池を保護するための方法の一例を示す図である。
【発明を実施するための形態】
【０００７】
本発明の実施形態への言及が、今から詳細になされることになる。本発明は、これらの実施形態と併せて述べられることになるが、それらは、本発明をこれらの実施形態に限定することを目的としていないことが、理解されることになる。それどころか、本発明は、添付の特許請求の範囲によって規定されるような本発明の趣旨および範囲内に含まれてもよい、代替案、変更および等価物をカバーすることを目的としている。
【０００８】
さらに、本発明の以下の詳細な説明では、多数の具体的詳細が、本発明の完全な理解を提供するために説明される。しかしながら、本発明は、これらの具体的詳細なしに実践されてもよいということが、当業者によって認識されることになる。他の例では、よく知られた方法、手順、コンポーネント、および回路は、本発明の態様を不必要に分かりにくくしないように、詳細に述べられていない。
【０００９】
本発明の実施形態は、保護しきい値設定機能を有する電池保護システムを提供する。実施形態では、しきい値設定回路は、電池がその中にある温度範囲に従って電池を保護するための保護しきい値(例えば、過電圧しきい値および/または過電流しきい値を含む)を設定する。結果として、電池は、異なる温度範囲において確実に保護され、電池の充電効率は、改善される。
【００１０】
図2は、本発明の一実施形態における、電池保護システム226の一例のブロック図を例示する。図2に示されるように、電池保護システム226は、電池222に結合され、電池222に保護を提供する。電池222は、1つまたは複数の再充電可能な電池セルCell1〜Celln(nは、自然数である)を含むことができる。再充電可能な電池セルは、リチウムイオン電池を含むことができるが、しかしそれらに限定されない。電池保護システム226は、電池222がどの温度範囲にあるかを決定するために、温度センサ202(例えば、負の温度係数を有するサーミスタを含む)を使用し、保護しきい値を温度範囲に対応する値に設定する。保護しきい値は、電池セルCell1〜Cellnの過電圧しきい値VOVまたは電池222の過電流しきい値IOVとすることができる。過電圧しきい値VOVは、電池セルCell1〜Cellnの電圧VCELL1、VCELL2、・・・、VCELLnが安全な範囲内であるかどうかを決定するために使用される。もし電池セルの電圧が、過電圧しきい値VOVよりも大きいならば、その時電池セルの電圧は、高すぎると考えられ、電池保護システム226は、電池222の充電を禁止する/停止する。同様に、過電流しきい値IOVは、電池222の電流IBAT(例えば、充電電流)が安全な範囲内であるかどうかを決定するために使用される。もし電池電流IBATが、過電流しきい値IOCよりも大きいならば、その時電池電流IBATは、大きすぎると考えられ、電池保護システム226は、電池222の充電を禁止する/停止する。
【００１１】
より具体的には、電池保護システム226は、しきい値設定回路および保護回路を含む。しきい値設定回路は、電池222がどの温度範囲にあるかを決定し、温度範囲に基づいて保護しきい値を設定することができる。保護回路は、電池222が異常状態(例えば、過電圧状態または過電流状態)にあるかどうかを決定するために、保護しきい値を電池パラメータ(例えば、電池セル電圧または電池電流)と比較する。もし電池222が、異常状態にあると決定されるならば、その時電池保護システム226は、例えば、電池222の充電を停止することによって、電池222を保護する。例えば、電池保護システム226は、電池222を充電するために使用される充電スイッチ(図示せず)をオフにすることができる。より具体的には、一実施形態では、充電スイッチ(図示せず)は、電池222と充電器(図示せず)から充電電流を受け取るために使用される電力入力端子との間に結合される。充電スイッチが、オンであるときは、充電器からの充電電流は、電池222を充電するために充電スイッチを通って流れることができる。充電スイッチが、オフであるときは、充電電流は、無効にされる。もし電池222が、異常状態にあると決定されるならば、その時電池保護システム226は、充電スイッチをオフにすることによって電池222を保護することができる。一実施形態では、充電スイッチは、金属酸化膜半導体電界効果トランジスタ(MOSFET)を含むことができる。電池保護システム226は、MOSFETのゲート端子を制御するために、保護信号、例えば、以下で述べられる信号SOVまたはSOCを発生させることができ、それによってMOSFETをオンまたはオフにする。しかしながら、本発明は、そのように限定されない。
【００１２】
図3は、本発明の一実施形態における、しきい値設定回路および保護回路を含む電池保護システム226Aの一例のブロック図を例示する。図3は、図2と組み合わせて述べられる。図3に示されるように、電池保護システム226Aは、しきい値設定回路328および保護回路330を含む。しきい値設定回路328は、温度センサ202、温度参照マルチプレクサ304、温度比較回路306、論理回路320、しきい値マルチプレクサ308、およびクロック発生器318を含む。保護回路330は、セル電圧マルチプレクサ310、電流センサ316、および異常検出回路を含む。異常検出回路は、過電圧比較器312を含み、また過電流比較器314を含むこともできる。
【００１３】
一実施形態では、温度参照マルチプレクサ304は、以下で述べられるように、プリセット順序通りに連続して一組の参照信号のうちの1つの参照信号VTREFを出力する。図3の例では、参照信号の組は、温度値TTC、TC、TH、およびTTHをそれぞれ示す(またはそれらに対応する)、電圧参照VTTC、VTC、VTH、およびVTTHを含むが、しかしながら、本発明は、4つの温度値に限定されない。温度値TTC、TC、TH、およびTTHの間の関係は、次の通り、すなわちTTC<TC<TH<TTHである。一実施形態では、温度値TTCは、「冷たすぎる」ことを意味し、温度値TCは、「冷たい」ことを意味し、温度値THは、「熱い」ことを意味し、温度値TTHは、「熱すぎる」ことを意味する。一実施形態では、電圧参照VTTC、VTC、VTH、およびVTTHは、負の温度係数を有するサーミスタ202によって提供される。それ故に、電圧参照VTTC、VTC、VTH、およびVTTHの間の関係は、次の通り、すなわちVTTC>VTC>VTH>VTTHである。一実施形態では、温度参照マルチプレクサ304は、プリセット順序通りに連続して参照信号VTTC、VTC、VTH、およびVTTHを出力する。例えば、参照信号を出力するプリセット順序は、VTTC、VTC、VTH、およびVTTHとすることができる。別の例として、プリセット順序は、VTTH、VTH、VTC、およびVTTCとすることができる。なお別の例として、プリセット順序は、VTTC、VTTH、VTC、およびVTHとすることができる。しかしながら、本発明は、これらの例に限定されない。
【００１４】
温度比較回路306は、電池222の温度TBATを示す感知信号VTBAT(例えば、サーミスタ202からの電圧信号)を温度参照マルチプレクサ304から出力される参照信号VTREF(例えば、VTTC、VTC、VTH、およびVTTHを含む)と比較し、電池222がその中にある温度範囲を示すために一組の結果信号SCTLを発生させる。結果信号SCTLは、一組のデジタル信号を含むことができる。図3の例では、温度比較回路306の正入力端子は、参照信号VTREFを受け取り、温度比較回路306の負入力端子は、温度感知信号VTBATを受け取る。それ故に、もし電池温度TBATが、参照信号VTREFによって示される温度TREFよりも大きいならば、その時温度感知信号VTBATは、参照信号VTREFよりも小さく、温度比較回路306は、デジタル信号「1」(例えば、論理ハイ信号)を出力し、またはもし電池温度TBATが、参照信号VTREFによって示される温度TREFよりも低いならば、その時温度感知信号VTBATは、参照信号VTREFよりも大きく、温度比較回路306は、デジタル信号「0」(例えば、論理ロー信号)を出力する。温度比較回路306は、感知信号VTBATを参照信号VTTC、VTC、VTH、およびVTTHと連続して比較し、それによって電池222がその中にある温度範囲を示すために一組の結果信号SCTL(例えば、デジタル信号1000、1100、または類似のもの)を発生させる。図3を例として取ると、もし結果信号SCTLが、デジタル信号0000を含むならば、その時それは、電池温度TBATがTTCよりも低いことを示し、もし結果信号SCTLが、デジタル信号1000を含むならば、その時それは、電池温度TBATがTTCからTCまでの範囲にあることを示し、もし結果信号SCTLが、デジタル信号1100を含むならば、その時それは、電池温度TBATがTCからTHまでの範囲にあることを示し、もし結果信号SCTLが、デジタル信号1110を含むならば、その時それは、電池温度TBATがTHからTTHまでの範囲にあることを示し、またはもし結果信号SCTLが、デジタル信号1111を含むならば、その時それは、電池温度TBATがTTHよりも大きいことを示す。
【００１５】
論理回路320は、結果信号SCTLを順番に受け取り、しきい値マルチプレクサ308を制御する選択信号SSELに結果信号SCTLを変換する。例として、論理回路320は、結果信号SCTL(例えば、デジタル信号ビット列を含む)を順番に受け取り、デジタル信号列SCTLを並列デジタル信号SSELにまたは別のタイプの選択信号SSELに変換する。選択信号SSELの制御下で、しきい値マルチプレクサ308は、結果信号SCTLに従って一組の保護しきい値から1つまたは複数の保護しきい値を選択する。1つまたは複数の保護しきい値は、電池222が異常状態にあるかどうかを決定するために使用される。一実施形態では、保護しきい値の組は、複数の過電圧しきい値V1、V2、V3、およびV4を含む。各過電圧しきい値は、一組の温度範囲のうちの1つまたは複数の温度範囲に対応し、電池222内の1つの電池セルが過電圧状態にあるかどうかを決定するために使用される。より具体的には、しきい値マルチプレクサ308によって選択される保護しきい値は、電池222が、結果信号SCTLによって決定される温度範囲にあるとき、電池222内の1つの電池セルの過電圧しきい値VOV(例えば、V1、V2、V3、またはV4)を含む。図3の例では、過電圧しきい値V1は、TTCからTCまでの温度範囲に対応し、過電圧しきい値V2は、TCからTHまでの温度範囲に対応し、過電圧しきい値V3は、THからTTHまでの温度範囲に対応し、過電圧しきい値V4は、TTCを下回る温度範囲およびTTHを上回る温度範囲に対応する。一実施形態では、セル電圧マルチプレクサ310は、電池222内の1つの電池セルのセル電圧VCELLを出力する。もし電池セル電圧VCELLが、しきい値VOVよりも大きいならば、それは、電池セルが過電圧状態にあることを示す。別の実施形態では、セル電圧マルチプレクサ310は、電池セル電圧VCELLを示す(例えば、電池セル電圧VCELLに比例する)信号を出力し、しきい値マルチプレクサ308は、電池セルの過電圧しきい値を示す(例えば、過電圧しきい値に比例する)しきい値信号VOVを出力する。もしセル電圧マルチプレクサ310から出力される信号が、しきい値VOVよりも大きいならば、それは、電池セルが過電圧状態にあることを示す。
【００１６】
一実施形態では、保護しきい値の組はまた、複数の過電流しきい値I1、I2、I3、およびI4も含む。各過電流しきい値は、一組の温度範囲のうちの1つまたは複数の温度範囲に対応し、電池222が過電流状態にあるかどうかを決定するために使用される。より具体的には、制御しきい値マルチプレクサ308によって選択される保護しきい値は、電池222が、結果信号SCTLによって決定される温度範囲にあるとき、電池222の過電流しきい値IOC(例えば、I1、I2、I3、またはI4)を含むことができる。図3の例では、過電流しきい値I1は、TTCからTCまでの温度範囲に対応し、過電流しきい値I2は、TCからTHまでの温度範囲に対応し、過電流しきい値I3は、THからTTHまでの温度範囲に対応し、過電流しきい値I4は、TTCを下回る温度範囲およびTTHを上回る温度範囲に対応する。一実施形態では、電流センサ316から提供される信号VIBATは、電池電流IBATを示す(例えば、に比例する)電圧信号である。一実施形態では、しきい値マルチプレクサ308は、電圧信号VI1、VI2、VI3、およびVI4を受け取り、結果信号SCTLによって決定される温度範囲に従って電圧信号VIOCを出力する。電圧信号VI1、VI2、VI3、およびVI4はそれぞれ、過電流しきい値I1、I2、I3、およびI4を示し(例えば、に比例し)、電圧信号VIOCは、過電流しきい値IOCを示す(例えば、に比例する)。もし電池電流IBATが、過電流しきい値IOCよりも大きい(例えば、電流センサ316から提供される信号VIBATが、電圧信号VIOCよりも大きい)ならば、その時それは、電池222が過電流状態にあることを示す。しかしながら、本発明は、そのように限定されない。別の実施形態では、電流センサ316によって出力される信号は、電池電流IBATを示す、別のタイプの信号、例えば、電流信号I'BATであってもよい。しきい値マルチプレクサ308は、I1、I2、I3、およびI4に比例する電流レベルを有する電流信号を受け取ることができ、次いで、結果信号SCTLに従って、過電流しきい値IOCに比例する電流レベルを有する電流信号を出力することができる。もし電流センサ316から出力される電流信号I'BATが、しきい値マルチプレクサ308から出力される電流信号よりも大きいならば、それは、電池222が過電流状態にあることを示す。
【００１７】
その上、保護回路330における異常検出回路は、比較結果を発生させるために、しきい値マルチプレクサ308から出力される保護しきい値(例えば、過電圧しきい値または過電流しきい値)を受け取り、保護しきい値および電池パラメータ(例えば、電池セル電圧または電池電流)を比較することができる。比較結果は、電池が異常状態にあるかどうかを示す。例えば、異常検出回路は、過電圧比較器312を含む。過電圧比較器312は、保護信号SOVを発生させるために、例えば、セル電圧マルチプレクサ310から出力される信号VCELLをしきい値マルチプレクサ308から出力される信号VOVと比較することによって、電池セル電圧を過電圧しきい値と比較する。もし電池222内の1つの電池セルが、過電圧しきい値よりも大きい電圧を有するならば、その時保護信号SOVは、例えば、電池222を充電するために使用される充電スイッチをオフにすることによって、電池222を保護するように電池保護システムに通知する。異常検出回路はさらに、過電流比較器314を含むことができる。過電流比較器314は、保護信号SOCを発生させるために、例えば、電流センサ316によって提供される信号VIBATをしきい値マルチプレクサ308から出力される信号VIOCと比較することによって、電池電流IBATを過電流しきい値IOVと比較する。もし電池222の電池電流IBATが、過電流しきい値IOVよりも大きいならば、その時保護信号SOCは、例えば、充電スイッチをオフにすることによって、電池222を保護するように電池保護システム226に通知する。
【００１８】
図4は、本発明の一実施形態における、保護しきい値を設定するための時間系列の一例の図を例示する。図4は、図2および図3と組み合わせて述べられる。図4の例では、しきい値設定回路328は、電池温度を定期的に検出し、1つまたは複数の保護しきい値(例えば、過電圧しきい値VOVおよび/または過電流しきい値IOCを含む)を設定する/調整する。例えば、時間t0および時間t1の間に、しきい値設定回路328は、電池222がどの温度範囲にあるかを決定するために、電池222の温度を示す感知信号VTBATを温度センサ202から受け取り、温度範囲に従って保護しきい値を設定する(例えば、温度範囲に対応する過電圧しきい値VOVを過電圧しきい値V1、V2、V3、およびV4から選択することによって、かつ/または温度範囲に対応する過電流しきい値IOCを過電流しきい値I1、I2、I3、およびI4から選択することによって)。保護しきい値が、設定された後、しきい値設定回路328は、時間t1と時間t2との間の期間にわたってアイドルモードに入る。アイドルモードでは、しきい値設定回路328は、電池温度をチェックせず、保護しきい値を調整せず、それによって電池保護システムの電力消費量を低減する。しきい値設定回路328が、アイドルモードにあるときは、保護回路330は、電池222を保護するための保護信号(例えば、SOVおよびSOC)を発生させるために、電池パラメータ(例えば、電池セル電圧VCELL1、VCELL2、・・・、およびVCELLnならびに/または電池電流IBATを含む)を対応する保護しきい値(例えば、過電圧しきい値VOVおよび/または過電流しきい値IOCを含む)と比較する。図4に示されるように、時間t2からt3まで、しきい値設定回路328は、電池温度のための検出プロセスおよび保護しきい値のための調整プロセスを繰り返し、次いで時間t3および時間t4の間アイドルモードに入る。それ故に、しきい値設定回路328は、電池温度検出および保護しきい値調整を定期的に行うことができる。一実施形態では、電池温度は、急には変化しないので、電池温度検出および保護しきい値調整のデューティサイクル(例えば、t0からt2までの時間間隔に対するt0からt1までの時間間隔の比)は、電池保護システムの電力消費量をさらに低減するために、比較的小さく設定することができる。
【００１９】
図5は、本発明の一実施形態における、電池保護システムの一例での、電池温度と過電圧しきい値VOVとの間の関係、および電池温度と過電流しきい値IOC(例えば、VIOCによって表される)との間の関係を示す図を例示する。一実施形態では、図5に示される関係図は、ラップトップコンピュータの電池が充電されているときの状況に適しているが、しかしそれに限定されない。図5は、図2、図3、および図4と組み合わせて述べられる。
【００２０】
図5の例では、もし電池温度TBATが、TTCよりも低いならば、その時結果信号SCTLは、デジタル信号0000を含み、過電流しきい値IOCは、I4に設定され(例えば、電圧信号VIOCは、VI4に設定され)、過電圧しきい値VOVは、V4に設定される。一実施形態では、電流値I4は、ゼロアンペアとすることができるが、しかしそれに限定されない。電圧値V4は、ゼロボルトとすることができるが、しかしそれに限定されない。もし電池温度TBATが、TTCからTCまでの範囲にあるならば、その時結果信号SCTLは、デジタル信号1000を含み、過電流しきい値IOCは、I1に設定され(例えば、電圧信号VIOCは、VI1に設定され)、過電圧しきい値VOVは、V1に設定される。もし電池温度TBATが、TCからTHまでの範囲にあるならば、その時結果信号SCTLは、デジタル信号1100を含み、過電流しきい値IOCは、I2に設定され(例えば、電圧信号VIOCは、VI2に設定され)、過電圧しきい値VOVは、V2に設定される。もし電池温度TBATが、THからTTHまでの範囲にあるならば、その時結果信号SCTLは、デジタル信号1110を含み、過電流しきい値IOCは、I3に設定され(例えば、電圧信号VIOCは、VI3に設定され)、過電圧しきい値VOVは、V3に設定される。もし電池温度TBATが、TTHよりも高いならば、その時結果信号SCTLは、デジタル信号1111を含み、過電流しきい値IOCは、I4に設定され(例えば、電圧信号VIOCは、VI4に設定され)、過電圧しきい値VOVは、V4に設定される。
【００２１】
より具体的には、図5の例では、もし電池温度が、TCからTHまでの範囲にあるならば、その時電池温度は、正常な温度範囲にあると考えることができ、電池222は、正常充電モードで働くことができる。正常充電モードでは、電池セル電圧VCELL1、VCELL2、・・・VCELLnの上限値V2は、比較的高く(例えば、近似的に電池セルの満充電電圧に等しく)することができ、電池222の充電電流IBATの上限値I2(例えば、VI2によって表される)もまた、比較的大きくすることができる。もし電池温度が、低すぎる(例えば、TTCよりも低い)ならば、またはもし電池温度が、高すぎる(例えば、TTHよりも高い)ならば、その時電池222は、充電に適していないと考えることができる。それ故に、電池セル電圧の上限値V4および充電電流の上限値I4(例えば、VI4によって表される)は、比較的小さい。もし電池温度が、TTCからTCまでの範囲にあるならば、その時それは、電池温度が比較的低いことを示すことができるが、しかし電池はなお、充電することができる。それ故に、電池セル電圧の上限値V1は、V4よりも大きくかつV2よりも小さく(V4<V1<V2)、充電電流の上限値I1は、I4よりも大きくかつI2よりも小さい(例えば、VI4<VI1<VI2)。もし電池温度が、THからTTHまでの範囲にあるならば、その時それは、電池温度が比較的高いことを示すことができるが、しかし電池はなお、充電することができる。それ故に、電池セル電圧の上限値V3は、V4よりも大きくかつV2よりも小さく(V4<V3<V2)、充電電流の上限値I3は、I4よりも大きくかつI2よりも小さい(例えば、VI4<VI3<VI2)。
【００２２】
図6は、本発明の一実施形態における、電池温度が変化するにつれ変化する、しきい値設定回路328における信号の例についての波形を例示する。信号は、VIOC、VOV、SCTL、およびVTBATを含み、ただしVIOCは、しきい値マルチプレクサ308によって選択される過電流しきい値を表し、VOVは、しきい値マルチプレクサ308によって選択される過電圧しきい値を表し、SCTLは、温度比較回路306から出力される一組の結果信号(例えば、一組のデジタル信号を含む)を表し、VTBATは、温度センサ202上の感知電圧を表す。図6は、図2、図3、図4および図5と組み合わせて述べられる。
【００２３】
波形602および610において示されるように、時間tAと時間tBとの間では、電池は、熱く(例えば、電池温度TBATは、比較的高いが、しかし熱すぎることはなく)、温度感知信号VTBATは、参照VTHよりも小さくかつ参照VTTHよりも大きい。それ故に、波形604において示されるように、温度比較回路306から出力される結果信号SCTLは、デジタル信号1110を含む。時間tBの後、波形606および608において示されるように、しきい値マルチプレクサ308は、過電圧しきい値VOVおよび過電流しきい値VIOCをしきい値V3およびしきい値VI3にそれぞれ設定し、ただししきい値V3およびVI3は、デジタル信号1110に対応する。時間tCから時間tDまでに、電池温度TBATは、正常温度範囲まで降下しており、温度感知信号VTBATは、参照VTCよりも小さくかつ参照VTHよりも大きい。それ故に、波形604において示されるように、温度比較回路306から出力される結果信号SCTLは、デジタル信号1100を含む。時間tDの後、波形606および608において示されるように、しきい値マルチプレクサ308は、過電圧しきい値VOVおよび過電流しきい値VIOCをしきい値V2およびしきい値VI2にそれぞれ設定し、ただししきい値V2およびVI2は、デジタル信号1100に対応する。
【００２４】
図3、図5、および図6の実施形態では、しきい値設定回路328は、例えば、温度感知信号VTBATを電圧参照VTTC、VTC、VTH、およびVTTHと比較することによって、電池温度TBATを4つの温度値TTC、TC、TH、およびTTHと比較し、比較の結果に従って、4つの過電圧しきい値V1、V2、V3、およびV4からしきい値VOV、ならびに4つの過電流しきい値VI1、VI2、VI3、およびVI4からしきい値VIOCを選択する。しかしながら、本発明は、そのように限定されない。言い換えれば、温度参照の数、過電圧しきい値の数、および過電流しきい値の数は、4つに限定されない。
【００２５】
例として、しきい値設定回路728を含む電池保護システム226Bが、本発明の別の実施形態において、図7に例示される。図7は、図2、図3、図4、図5、および図6と組み合わせて述べられる。図7に示されるように、しきい値設定回路728は、電池温度TBATおよびN個の温度参照TR1、TR2、・・・、TRN(Nは、自然数である)を比較することができ、それによって対応する過電圧しきい値VOVをX個の過電圧しきい値V'1、V'2、・・・、V'X(Xは、自然数である)から選択し、対応する過電流しきい値VIOCをY個の過電流しきい値VI'1、VI'2、・・・、VI'Y(Yは、自然数である)から選択する。数N、X、およびYは、同じまたは互いに異なるとすることができる。
【００２６】
図8は、本発明の一実施形態における、電池保護システムの一例での、電池温度と過電圧しきい値VOVとの間の関係、および電池温度と過電流しきい値IOC(例えば、VIOCによって表される)との間の関係を示す図を例示する。一実施形態では、図8に示される関係図は、単一電池セル(例えば、携帯電話における電池)が充電されているときの状況に適しているが、しかしそれに限定されない。図8は、図7と組み合わせて述べられる。
【００２７】
図8の例では、温度参照の数Nは、5であり、過電圧しきい値の数Xは、4であり、過電流しきい値の数Yは、3である。もし電池温度が、TR1よりも低いまたはTR5よりも高いならば、その時電池は、充電に不適であると考えられる。それ故に、過電圧しきい値V'Xおよび過電流しきい値VI'Yは、比較的小さく(例えば、ゼロボルトおよびゼロアンペアにそれぞれ)設定される。過電圧しきい値V'1、V'2、およびV'3は、TR1からTR3までの温度範囲、TR3からTR4までの温度範囲、およびTR4からTR5までの温度範囲にそれぞれ対応する。過電流しきい値VI'1およびVI'2は、TR1からTR2までの温度範囲、およびTR2からTR5までの温度範囲にそれぞれ対応する。それ故に、しきい値設定回路728は、電池がどの温度範囲にあるかを決定することによって適切な保護しきい値を設定することができる。
【００２８】
図9は、本発明の一実施形態における、電池を保護するための方法の一例を示す。図9は、図2、図3、図4、図5、図6、図7、および図8と組み合わせて述べられる。具体的ステップが、図9に開示されるが、そのようなステップは、説明に役立つための例である。すなわち、本発明による実施形態は、様々な他のステップまたは図9に列挙されるステップの変形を行うのによく適している。
【００２９】
ステップ902において、温度参照マルチプレクサ(例えば、図3でのマルチプレクサ304または図7でのマルチプレクサ704)は、一組の参照信号VTREF(例えば、図3での温度値TTC、TC、TH、およびTTHに対応する電圧参照VTTC、VTC、VTH、およびVTTH、または図7での温度値TR1、TR2、・・・、TRNに対応する電圧参照VTR1、VTR2、・・・、VTRNを含む)を連続して出力する。
【００３０】
ステップ904において、温度比較回路306は、一組の結果信号(例えば、図3でのSCTLまたは図7でのS'CTL)を発生させるために、電池222の温度TBATを示す感知信号VTBATを温度参照マルチプレクサから出力される参照信号VTREFと比較する。
【００３１】
ステップ906では、しきい値マルチプレクサ(例えば、図3でのマルチプレクサ308または図7でのマルチプレクサ708)は、結果信号の組(例えば、SCTLまたはS'CTL)に従って一組の保護しきい値から1つまたは複数の保護しきい値を選択する。図3の例では、保護しきい値の組は、過電圧しきい値V1、V2、V3、およびV4、ならびに/または過電流しきい値VI1、VI2、VI3、およびVI4を含む。図7の例では、保護しきい値の組は、過電圧しきい値V'1、V'2、・・・、V'X、および/または過電流しきい値VI'1、VI'2、・・・、VI'Yを含む。
【００３２】
ステップ908において、保護回路330は、選択された1つまたは複数の保護しきい値に従って電池222が異常状態にあるかどうかを決定する。図3を例として取ると、もし電池222内の1つの電池セルの電圧VCELLが、しきい値マルチプレクサ308によって選択される過電圧しきい値VOVよりも大きいならば、その時その電池セルは、過電圧状態にあると考えられる。もし電池222の充電電流IBATが、しきい値マルチプレクサ308によって選択される過電流しきい値IOC(例えば、電圧信号VIOCによって表される)よりも大きいならば、その時電池222は、過電流状態にあると考えられる。
【００３３】
要約すれば、本発明による実施形態は、保護しきい値設定または調整機能を有する電池保護システムを提供する。電池保護システムにおけるしきい値設定回路は、一組の結果信号を発生させるために、一組の温度値を示す一組の参照信号を連続して受け取り、電池温度を示す感知信号と受け取った参照信号を比較する。比較プロセスは、比較的簡単であるので、それは、比較的小さくかつ比較的安価である比較回路によって実施することができ、それによって電池保護システムの印刷回路基板のサイズを低減し、またシステムのコストも低減する。加えて、しきい値設定回路は、結果信号に従って電池がどの温度範囲にあるかを決定し、その温度範囲に対応する一組の保護しきい値(例えば、一組の過電圧しきい値および/または一組の過電流しきい値を含む)から1つまたは複数の保護しきい値を選択する。電池保護システムは、選択された保護しきい値に基づいて保護を電池に提供する。それ故に、従来の電池保護システムと比較して、本発明の一実施形態における電池保護システムは、異なる温度範囲においてより信頼できる保護を電池に提供することができ、電池の充電効率を改善することができる。
【００３４】
前述の記述および図面は、本発明の実施形態を表すが、様々な追加、変更および置換は、添付の特許請求の範囲において規定されるような本発明の原理の趣旨および範囲から逸脱することなくその中でなされてもよいということが、理解されることになる。当業者は、本発明が、特に本発明の原理から逸脱することなく特定の環境および動作要件に適合される、本発明の実践において使用される、形、構造、配置、比率、材料、要素、およびコンポーネントならびにその他の多くの変更とともに使用されてもよいということを認識することになる。現在開示される実施形態はしたがって、すべての点において説明に役立ちかつ限定しないものとして考えるべきであり、本発明の範囲は、添付の特許請求の範囲およびそれらの法的等価物によって示され、前述の記述に限定されない。
【符号の説明】
【００３５】
202  温度センサ、サーミスタ
222  電池
226  電池保護システム
226A  電池保護システム
226B  電池保護システム
304  温度参照マルチプレクサ
306  温度比較回路
308  しきい値マルチプレクサ
310  セル電圧マルチプレクサ
312  過電圧比較器
314  過電流比較器
316  電流センサ
318  クロック発生器
320  論理回路
328  しきい値設定回路
330  保護回路
704  温度参照マルチプレクサ
708  しきい値マルチプレクサ
728  しきい値設定回路
VOV  過電圧しきい値
IOC  過電流しきい値
IBAT  電池電流、充電電流
VTBAT  感知信号
VTREF  参照信号
SCTL  結果信号
TBAT  電池温度
TREF  参照温度
VCELL  電池セルの電圧
【図１】
2020202740.tif 000003
【図２】
2020202740.tif 000004
【図３】
2020202740.tif 000005
【図４】
2020202740.tif 000006
【図５】
2020202740.tif 000007
【図６】
2020202740.tif 000008
【図７】
2020202740.tif 000009
【図８】
2020202740.tif 000010
【図９】
2020202740.tif 000011
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
複数の参照信号のうちの1つの参照信号を出力する温度参照マルチプレクサと、
複数の結果信号を発生させるために、電池の温度を示す信号を前記温度参照マルチプレクサから出力される前記複数の参照信号と比較する、前記温度参照マルチプレクサに結合される温度比較回路と、
前記複数の結果信号に従って複数の保護しきい値から少なくとも1つの保護しきい値を選択する、前記温度比較回路に結合されるしきい値マルチプレクサであって、前記少なくとも1つの保護しきい値は、前記電池が異常状態にあるかどうかを決定するのに有用である、しきい値マルチプレクサとを備える、しきい値設定回路。
【請求項２】
前記複数の結果信号は、前記電池がその中にある温度範囲を示し、前記少なくとも1つの保護しきい値は、前記電池が、前記温度範囲にあるとき、前記電池内の1つの電池セルの過電圧しきい値を備える、請求項1に記載のしきい値設定回路。
【請求項３】
前記複数の保護しきい値は、複数の過電圧しきい値を含み、前記複数の過電圧しきい値の各過電圧しきい値は、複数の温度範囲の少なくとも1つの温度範囲に対応し、前記電池内の1つの電池セルが過電圧状態にあるかどうかを決定するのに有用である、請求項1または2に記載のしきい値設定回路。
【請求項４】
前記複数の結果信号は、前記電池がその中にある温度範囲を示し、前記少なくとも1つの保護しきい値は、前記電池が、前記温度範囲にあるとき、前記電池の過電流しきい値を備える、請求項1から3のいずれか一項に記載のしきい値設定回路。
【請求項５】
前記複数の保護しきい値は、複数の過電流しきい値を含み、前記複数の過電流しきい値の各過電流しきい値は、複数の温度範囲の少なくとも1つの温度範囲に対応し、前記電池が過電流状態にあるかどうかを決定するのに有用である、請求項1から4のいずれか一項に記載のしきい値設定回路。
【請求項６】
前記複数の保護しきい値から前記少なくとも1つの保護しきい値を選択するために、前記複数の結果信号を順番に受け取り、前記複数の結果信号を前記しきい値マルチプレクサを制御する選択信号に変換する、前記温度比較回路および前記しきい値マルチプレクサに結合される論理回路をさらに備える、請求項1から5のいずれか一項に記載のしきい値設定回路。
【請求項７】
請求項1から6のいずれか一項に記載のしきい値設定回路を備え、かつ前記しきい値設定回路に結合される保護回路を備える、電池保護システムであって、前記保護回路は、
比較結果を発生させるために、前記しきい値設定回路から出力される保護しきい値を受け取り、前記保護しきい値を電池の電池パラメータと比較するように構成される異常検出回路であって、前記比較結果は、前記電池が異常状態にあるかどうかを示す、異常検出回路を備える、電池保護システム。
【請求項８】
前記電池パラメータは、前記電池内の1つの電池セルの電圧を備え、前記少なくとも1つの保護しきい値は、過電圧しきい値を備え、前記異常検出回路は、前記電池セルの前記電圧を前記過電圧しきい値と比較する過電圧比較器を備える、請求項7に記載の電池保護システム。
【請求項９】
前記電池パラメータは、前記電池の電流を備え、前記少なくとも1つの保護しきい値は、過電流しきい値を備え、前記異常検出回路は、前記電池の前記電流を前記過電流しきい値と比較する過電流比較回路を備える、請求項7または8に記載の電池保護システム。
【請求項１０】
電池を保護するための方法であって、前記方法は、
温度参照マルチプレクサを使用して、複数の参照信号のうちの1つの参照信号をプリセット順序通りに連続して出力するステップと、
温度比較回路を使用して、複数の結果信号を発生させるために、前記電池の温度を示す信号を前記温度参照マルチプレクサから出力される前記複数の参照信号と比較するステップと、
しきい値マルチプレクサを使用して、前記複数の結果信号に従って複数の保護しきい値から少なくとも1つの保護しきい値を選択するステップと、
前記少なくとも1つの保護しきい値に従って前記電池が異常状態にあるかどうかを決定するステップとを含む、方法。
【請求項１１】
論理回路を使用して、前記複数の結果信号を順番に受け取るステップと、
前記複数の結果信号を選択信号に変換するステップと、
前記選択信号を使用して、前記複数の保護しきい値から前記少なくとも1つの保護しきい値を選択するために前記しきい値マルチプレクサを制御するステップとをさらに含む、請求項10に記載の方法。
【請求項１２】
比較結果を発生させるために、前記少なくとも1つの保護しきい値を前記電池の電池パラメータと比較するステップであって、前記比較結果は、前記電池が異常状態にあるかどうかを示す、ステップをさらに含む、請求項10または11に記載の方法。
【請求項１３】
前記複数の結果信号は、前記電池がその中にある温度範囲を示し、前記少なくとも1つの保護しきい値は、前記電池が、前記温度範囲にあるとき、前記電池内の1つの電池セルの過電圧しきい値を備え、前記電池パラメータは、前記電池セルの電圧を備える、請求項12に記載の方法。
【請求項１４】
前記複数の結果信号は、前記電池がその中にある温度範囲を示し、前記少なくとも1つの保護しきい値は、前記電池が、前記温度範囲にあるとき、前記電池の過電流しきい値を備え、前記電池パラメータは、前記電池の電流を備える、請求項12または13に記載の方法。
【請求項１５】
前記複数の保護しきい値は、複数の過電圧しきい値を備え、前記複数の過電圧しきい値の各過電圧しきい値は、複数の温度範囲の少なくとも1つの温度範囲に対応し、前記方法は、
前記電池がその中にある温度範囲に対応する前記複数の過電圧しきい値のうちの1つの過電圧しきい値に従って、前記電池内の1つの電池セルが過電圧状態にあるかどうかを決定するステップをさらに含む、請求項10から14のいずれか一項に記載の方法。
【請求項１６】
前記複数の保護しきい値は、複数の過電流しきい値を備え、前記複数の過電流しきい値の各過電流しきい値は、複数の温度範囲の少なくとも1つの温度範囲に対応し、前記方法は、
前記電池がその中にある温度範囲に対応する前記複数の過電流しきい値のうちの1つの過電流しきい値に従って、前記電池が過電流状態にあるかどうかを決定するステップをさらに含む、請求項10から15のいずれか一項に記載の方法。
【外国語明細書】
2020202740000001.pdf